(57)【要約】【課題】少ない工程数でＩＰＭ（埋込磁石型）ロータ１の回転バランスを修正する。【解決手段】ロータコア３には、複数の永久磁石４を独立して埋設するための複数の磁石穴（コアスロット）５が周方向に独立して設けられる。各磁石穴５には永久磁石４が挿入され、挿入された永久磁石４が樹脂（接着剤）αによってロータコア３に固定される。ロータ１は、各磁石穴５に付与したそれぞれの樹脂量の違い（樹脂量の増減）によって回転バランスの修正がなされる。ロータ１の製造時では、樹脂αを用いて永久磁石４をロータコア３に固定する接着工程時に、複数の磁石穴５に付与する樹脂量の違いにより回転バランスの修正を行うバランス修正工程が同時に実施される。その結果、少ない工程数でＩＰＭロータ１の回転バランスを修正でき、ロータ１の生産性を高めて回転電機のコストを抑えることができる。【選択図】  図１
2015116078.tif 000002
【特許請求の範囲】
【請求項１】
ロータコア（３）の内部に複数の永久磁石（４）を埋設したロータ（１）を備える回転電機において、
前記複数の永久磁石（４）は、前記ロータコア（３）内の周方向に形成された複数の磁石穴（５）のそれぞれに挿入され、樹脂（α）によって前記ロータコア（３）に固定されたものであり、
前記ロータ（１）は、前記複数の磁石穴（５）に付与される樹脂量が周方向と軸方向において異なる分布を持つことにより回転バランスの修正がなされていることを特徴とする回転電機。
【請求項２】
請求項１に記載の回転電機において、
前記複数の磁石穴（５）のそれぞれには、前記永久磁石（４）が占める磁石スペースの他に、樹脂量の調整を行う余剰スペース（β）が形成されていることを特徴とする回転電機。
【請求項３】
請求項１または請求項２に記載の回転電機において、
前記ロータコア（３）の軸方向の端部の樹脂量は、前記ロータコア（３）の軸方向の中央部に比較して多いことを特徴とする回転電機。
【請求項４】
請求項１または請求項２に記載の回転電機において、
前記ロータコア（３）の軸方向の中央部の樹脂量は、前記ロータコア（３）の軸方向の端部に比較して多いことを特徴とする回転電機。
【請求項５】
請求項１〜請求項４のいずれか１つに記載の回転電機において、
前記永久磁石（４）を固定する樹脂（α）と回転バランスを修正する樹脂（α）とは一体構造であり、金属と直接接触することを特徴とする回転電機。
【請求項６】
ロータコア（３）の内部に複数の永久磁石（４）を埋設したロータ（１）を備える回転電機の製造方法において、
前記複数の永久磁石（４）は、前記ロータコア（３）内の周方向に形成された複数の磁石穴（５）のそれぞれに挿入され、樹脂（α）によって前記ロータコア（３）に固定されるものであり、
前記永久磁石（４）を樹脂（α）を用いて前記ロータコア（３）に固定する接着工程は、前記複数の磁石穴（５）に付与する樹脂量が周方向と軸方向において異なる分布を持つことにより回転バランスの修正を行うバランス修正工程と同時に実施されることを特徴とする回転電機の製造方法。
【請求項７】
請求項６に記載の回転電機の製造方法において、
前記接着工程は、前記永久磁石（４）の着磁前に実施されることを特徴とする回転電機の製造方法。
【発明の詳細な説明】
【技術分野】
【０００１】
本発明は、ロータコア内に複数の永久磁石を埋設したロータを備える回転電機とその製造方法に関するものであり、特にロータの回転バランス（回転方向の均整）の修正技術に関する。
【背景技術】
【０００２】
ロータの回転バランスを修正する技術として、（ｉ）ロータの一部にドリル穴を形成するドリル修正法（除去加工法）と、（ｉｉ）ロータの一部にパテを加えるパテ修正法（ウエイト付加法）とが知られている。
【０００３】
上記（ｉ）の技術（ドリル修正法）は、次の不具合がある。
・一旦製造したロータ（永久磁石を固定したロータ）にドリル穴を形成する回転バランスの修正工程が必要になる。
・ドリル穴を形成した後に、削りカスを取り除くための洗浄を行う必要がある。
・洗浄後に乾燥させる必要がある。
・洗浄によってロータに錆が発生する懸念がある。
・ドリル穴を開けるためのエンドプレートなどの部品を確保する必要がある。
【０００４】
一方、上記（ｉｉ）の技術（パテ修正法）は、次の不具合がある。
・一旦製造したロータ（永久磁石を固定したロータ）にパテを付加する回転バランスの修正工程が必要になる。
・パテを硬化させるための加熱工程が必要になる。
・ロータの内径、外径もしくは軸方向端面にパテ（樹脂）を付加することでロータ寸法が増大する。
・パテ（樹脂）を用いることで材料数が増えるため、コストアップの要因になる。
【先行技術文献】
【特許文献】
【０００５】
【特許文献１】米国特許出願公開第２０１２／０１３９３７８号明細書
【発明の概要】
【発明が解決しようとする課題】
【０００６】
本発明は、上記問題点に鑑みてなされたものであり、その目的は、少ない工程数で「ロータコア内に複数の永久磁石を埋設したロータ」の回転バランスを修正できる回転電機およびその製造方法の提供にある。
【課題を解決するための手段】
【０００７】
本発明（回転電機とその製造方法）は、「複数の永久磁石（４）をロータコア（３）に固定する際に用いる樹脂（α）の量」を回転方向と軸方向で変化させることで、ロータ（１）の回転バランスの修正を行うものであり、永久磁石（４）の接着工程時に回転バランスの修正も同時に実施できるものである。
即ち、少ない工程数で「ロータコア（３）内に複数の永久磁石（４）を埋設したロータ（１）」の回転バランスを修正できる。
【０００８】
具体的には、ロータコア（３）に永久磁石（４）を固定する接着工程でロータ（１）の回転バランスの修正も同時に実施することで、一旦製造したロータ（１）に回転バランスの修正を行う工程（ドリル穴を形成する工程やパテを付与する工程）を廃止できる。
【図面の簡単な説明】
【０００９】
【図１】樹脂量の付与具合の説明図である。
【図２】磁石穴に樹脂を滴下する説明図である。
【図３】樹脂量の増減によってバランス修正を実施する箇所の説明図である。
【図４】樹脂量とバランス修正量の関係を示す説明図である。
【図５】実施例の製造工程と従来技術１、２の製造工程との比較図である。
【図６】ロータコアの説明図である。
【図７】樹脂による接着力の説明図である。
【図８】他の磁石穴の形状の説明図である。
【図９】他の磁石穴に樹脂注入部を設けた説明図である。
【発明を実施するための形態】
【００１０】
以下において、図面を参照して［発明を実施するための形態］を説明する。
【実施例】
【００１１】
本発明の具体的な一例（実施例）を、図面を参照して説明する。なお、以下の実施例は一例であって、本発明が実施例に限定されないことはいうまでもない。
【００１２】
［実施例１］
図１〜図７を参照して実施例１を説明する。
この実施例の回転電機は、車両に搭載されるモータジェネレータであり、車両走行用の動力やエンジン始動のための動力を発生する電動モータとして作動するとともに、回転トルクを受けて発生を行う発電機としても作動する。
この回転電機は、通常の電動モータや発電機と同様、ステータ（固定子）と、ロータ（回転子）１とを備える。
【００１３】
ステータは、構成を限定するものではなく、例えば周知な構造を採用するものであり、車両に対して直接または間接的に固定支持されるステータコアと、このステータコアのスロットに巻回配置される複数相（Ｕ、Ｖ、Ｗ相など）のステータコイルとを備えて構成される。
【００１４】
ロータ１は、埋込磁石型（ＩＰＭ型）であり、ステータの中心において回転自在に支持される回転軸（シャフト）２と、この回転軸２に結合されるロータコア３と、このロータコア３に埋設固定される複数の永久磁石４とを備えて構成される。
ロータコア３は、表面に絶縁膜が形成されたリング円板状の電磁鋼板（軟鉄板、 珪素鋼板、アモルファス金属板等）を多数積層して設けられる。
【００１５】
ロータコア３には、複数の永久磁石４を独立して埋設するための複数の磁石穴（コアスロット）５が周方向に独立して設けられる。
各磁石穴５は、ロータコア３において軸方向に貫通する貫通穴であり、その内部に永久磁石４が挿入され、挿入された永久磁石４が樹脂（接着剤）αによってロータコア３に固定される。
【００１６】
永久磁石４は、ロータコア３の軸方向寸法（ロータコア３における磁石穴５の軸方向寸法）と略同じ長さで、且つ磁石穴５に挿入可能な板形状を呈するものであり、この実施例の永久磁石４は、希土類磁石（例えば、ネオジウム磁石等）を採用する。もちろん、永久磁石４の種類は希土類磁石に限定するものではなく、フェライト磁石、アルニコ磁石など、使用目的、昇温状態、コスト等に応じて適宜選択されるものである。
【００１７】
各永久磁石４は、一例としてロータコア３を軸方向から見てＶ字形に配置される。Ｖ字形の磁石配置構造とは、２つの永久磁石４によってＶ字形を作るものであり、４極のロータ１を作成する場合は８個の永久磁石４を用いて４つのＶ字形を形成し、６極のロータ１を作成する場合は１２個の永久磁石４を用いて６つのＶ字形を形成し、８極のロータ１を作成する場合は１６個の永久磁石４を用いて８つのＶ字形を形成するものである。もちろん、永久磁石４の配置構造は、Ｖ字形に限定するものではなく、一文字形など種々適用可能なものである。
【００１８】
この実施例の樹脂α（永久磁石４をロータコア３に固定する接着剤）は、非磁性樹脂であり、製造工程時に適度な粘性が得られ、且つ硬化後に強い接着力と高い耐久性を発揮するエポキシ系樹脂を採用する。もちろん、樹脂αの種類は限定するものではなく、ポリプロピレン、ポリエチレンナフタレート、ポリフェニレンサルファイド、ポリイミドなど、使用目的等に応じて適宜選択可能である。もちろん、放熱性を高めたり強度を高める目的でフィラーを含む樹脂αを用いても良い。
【００１９】
複数の永久磁石４は、上述したように、ロータコア３内の周方向に形成した複数の磁石穴５のそれぞれに挿入され、樹脂αによってロータコア３に固定される。
そして、ロータ１は、複数の磁石穴５に付与される樹脂量が、「ロータコア３の周方向」と「ロータコア３の軸方向」のそれぞれにおいて異なる分布を持つことにより回転バランスの修正がなされている。
なお、図１は、磁石穴５に付与する樹脂量の具体的な違いの一例を示すものであり、図１（ａ）、（ｂ）は磁石穴５に付与する樹脂量が少ない場合の一例であり、図１（ｃ）、（ｄ）は磁石穴に付与する樹脂量が多い場合の一例であり、図１（ｅ）は磁石穴に付与する樹脂量が最大の場合である。
【００２０】
この樹脂量の違いによる回転バランスの修正は、「永久磁石４を樹脂αを用いてロータコア３に固定する接着工程」と、「複数の磁石穴５に付与する樹脂量が周方向と軸方向の両方において異なる分布を持つことにより回転バランスの修正を行うバランス修正工程」とが同時に実施されるものであり、樹脂αを磁石穴５に滴下する具体例を図２に示す。
【００２１】
また、「樹脂量によってロータ１の回転バランスを修正する箇所」は、図３の範囲Ａで示す箇所（ロータコア３の軸方向の両側）において実施される。これにより、軸方向の動的アンバランスを樹脂量によって修正する。
ここで、樹脂量とバランス修正量との関係を図４を参照して説明する。１つの磁石穴５に付与する樹脂量を変化させると、図４に示すように、樹脂量の増減に応じて回転バランスの修正量が変化する。このため、この実施例では、複数の磁石穴５に付与するそれぞれの樹脂量の違いによって回転バランスの修正を実施するものである。
【００２２】
ロータ１の製造工程を、「従来技術１（ドリル修正法）」と「従来技術２（パテ修正法）」と「実施例１」を比較する。
先ず、「従来技術１（ドリル修正法）」の製造工程を図５（ｂ）を参照して説明する。  ステップＳ１：ロータコア３に形成した各磁石穴５のそれぞれに着磁前の永久磁石４を組付ける。
ステップＳ２：ロータコア３の中心に回転軸２を圧入する。
ステップＳ３：各磁石穴５に樹脂αを滴下して永久磁石４をロータコア３に接着固定する。
ステップＳ４：永久磁石４が固定されたロータ１を回転させて、未修正のロータ１の回転バランスを測定する。
ステップＳ５：この測定結果に基づいて回転のアンバランスを修正するべく、ロータ１にドリル穴を形成する（ドリル穴による修正工程の実施）。
ステップＳ６：削りカスを取り除くための洗浄を実施する（洗浄工程の実施）。
ステップＳ７：ロータ１から洗浄液を除去するための乾燥を実施する（乾燥工程の実施）。
ステップＳ８：ドリル穴によって回転バランスを修正したロータ１を回転させて、回転バランスが規定範囲内に納まっていることを検査する。
ステップＳ９：永久磁石４の着磁を実施する。
【００２３】
このように、「従来技術１（ドリル修正法）」によるロータ１の製造工程では、上記ステップＳ５〜Ｓ７で示したように、ドリル穴による修正工程、洗浄工程、乾燥工程が必要になり、製造工数の増加によってコストアップする不具合がある。また、エンドプレートなどドリル穴を設ける部品の増加に繋がってしまう（上述した「背景技術」参照）。
【００２４】
次に、「従来技術２（パテ修正法）」の製造工程を図５（ｃ）を参照して説明する。
ステップＳ１：ロータコア３に形成した各磁石穴５のそれぞれに着磁前の永久磁石４を組付ける。
ステップＳ２：ロータコア３の中心に回転軸２を圧入する。
ステップＳ３：各磁石穴５に樹脂αを滴下して永久磁石４をロータコア３に接着固定する。
ステップＳ４：永久磁石４が固定されたロータ１を回転させて、未修正のロータ１の回転バランスを測定する。
ステップＳ５：この測定結果に基づいて回転のアンバランスを修正するべく、ロータ１にパテを付与する（パテによる修正工程の実施）。
ステップＳ６：パテを硬化させるための加熱処理を実施する（加熱工程の実施）。
ステップＳ７：ロータ１を冷却する（冷却工程の実施）。
ステップＳ８：パテによって回転バランスを修正したロータ１を回転させて、回転バランスが規定範囲内に納まっていることを検査する。
ステップＳ９：永久磁石４の着磁を実施する。
【００２５】
このように、「従来技術２（パテ修正法）」によるロータ１の製造工程では、上記ステップＳ５〜Ｓ７で示したように、パテ付与による修正工程、加熱工程、冷却工程が必要になり、製造工数の増加によってコストアップする不具合がある。また、パテの付加を必要とするため、材料点数が増えることや、ロータの体格寸法が大きくなる不具合がある（上述した「背景技術」参照）。
【００２６】
次に、「実施例１」の製造工程を図５（ａ）を参照して説明する。
ステップＳ１：ロータコア３に形成した各磁石穴５のそれぞれに着磁前の永久磁石４を組付ける。
ステップＳ２：ロータコア３の中心に回転軸２を圧入する。
ステップＳ３：永久磁石４が組つけられたロータ１を回転させて、未修正のロータ１の回転バランスを測定する。
ステップＳ４：各磁石穴５に樹脂αを滴下して永久磁石４をロータコア３に接着固定する。この時、上記ステップＳ３の測定結果に基づいて回転バランスを修正するべく、複数の磁石穴５のそれぞれに付与する樹脂量を増減させてロータ１の回転バランスを修正する。即ち、永久磁石４の接着工程とバランス修正工程を同時に実施する。もちろん、各磁石穴５のそれぞれに付与する樹脂量（バランス修正用の樹脂の増減量）は、未修正のロータ１の回転バランスの測定結果からフィードフォワードにより求めるものである。
ステップＳ５：樹脂量の違いによって回転バランスを修正したロータ１を回転させて、回転バランスが規定範囲内に納まっていることを検査する。
ステップＳ６：永久磁石４の着磁を実施する。
【００２７】
（実施例１の効果１）
この実施例１のロータ１は、上述したように、「永久磁石４をロータコア３に固定する際に用いる樹脂αの量」を回転方向と軸方向で変化させることで「ロータ１における回転バランスの修正」を行ったものであり、「永久磁石４の接着工程」と「回転バランスの修正工程」を同時に実施したものである。
このため、従来技術よりも少ない工程数で「ロータコア３内に複数の永久磁石４を埋設したロータ１」の回転バランスを修正できる。これにより、ロータ１の生産性を高めることができ、結果的に回転電機のコストを抑えることができる。
【００２８】
（実施例１の効果２）
ロータコア３に形成される各磁石穴５には、永久磁石４が占める磁石スペースの他に、樹脂量の調整を実施可能な余剰スペースβが設けられる。具体的な一例として、この実施例のロータコア３は、磁石穴５の内径側に磁気バリアを備えるものであり、この磁気バリアを樹脂量の調整を行う余剰スペースβとして共用している。
このように、この実施例のロータコア３は、樹脂量の調整を行うための余剰スペースβを備えることで、樹脂量の増減（周方向の樹脂量の違いによる回転バランスの修正）を実施することができる。
【００２９】
（実施例１の効果３）
この実施例では、上述したように、「樹脂量によってロータ１の回転バランスを修正する箇所」を、ロータコア３の軸方向の端部において実施する。これにより、必要最小限の樹脂量で軸方向の動的アンバランスを修正することができる。即ち、動的アンバランスを重点的に修正したい場合、樹脂αの使用量を減らして歩留りを抑えることができるため、結果的に回転電機のコストを抑えることができる。
【００３０】
（実施例１の効果４）
また、ロータ１がスキュー構造を持ち、図６に示すように、ロータコア３と永久磁石４が軸方向で分割されている場合、軸方向の中央に位置する永久磁石４が隣接する分割コアに挟まれる構造を取る。この構造により、永久磁石４が軸方向抜けに係わる機械的な信頼性が高まるが、軸方向の両端に配置される永久磁石４は軸方向へ抜け出る懸念がある。
そこで、この実施例を採用し、軸方向の両端の永久磁石４を固定する樹脂量を多く付与することでロータコア３と永久磁石４の接着面積を大きくすることができ、永久磁石４の抜けに係わる機械的な信頼性を高めることができる、即ち、材料設計の幅を広げることができるとともに、接着力の乏しい安価な樹脂αを選定することが可能になり、結果的にロータ１のコストダウンを図ることができる。
【００３１】
（実施例１の効果５）
永久磁石４をロータコア３に固定する樹脂αは、金属と直接接触する。即ち、樹脂αは、「永久磁石４の金属表面」と「ロータコア３の金属表面（ロータコア３の素地）」の両方に直接接触する。
このように、樹脂αと金属（永久磁石４およびロータコア３）が直接接触するため、樹脂αによる接着力を強固にできる。このため、回転振動などが加わってもロータコア３から永久磁石４が剥離する不具合を回避することができる。即ち、回転電機の信頼性を高めることができる。
【００３２】
（実施例１の効果６）
樹脂αによって永久磁石４をロータコア３に接着させる接着工程を、永久磁石４の着磁前に実施する。これにより、「永久磁石４の内面（内径側の面）と磁石穴５の内面（内径側の面）の間」と「永久磁石４の外面（外径側の面）と磁石穴５の外面（外径側の面）の間」の両方に樹脂αを付与することができる。即ち、永久磁石４の内外両面を樹脂αによってロータコア３に接着することができる。
具体的には、「永久磁石４の内面の全面」と「永久磁石４の外面の全面」に樹脂αを付与することができ、樹脂αによる永久磁石４の接着力を高めることができる。
【００３３】
（実施例１の効果７）
従来技術１（ドリル修正法）では、ドリル穴を開けるための部品を必要とするが、この実施例１はドリル穴を開けるための部品を不要にできる。また、ロータ１にドリル穴を設ける必要がないため、ロータ１の機械的な信頼性を保つことができる。
一方、従来技術２（パテ修正法）では、ロータ１に付与するパテにより材料数が増えるが、この実施例ではバランス修正のために、パテ等の別材料を不要にできる。また、ロータ１の表面（外周面や軸方向端面等）にパテを付加しないため、ロータ寸法がバランス修正用の材料によって増大しない。これにより、回転電機の小型化が実現できる。
【００３４】
（実施例１の補足説明１）
上記実施例とは異なり、「永久磁石４の接着工程」と「回転バランスの修正工程」を別々に実施する場合を説明する。
「永久磁石４の接着工程」を実施した後に、樹脂αを付与して「回転バランスの修正工程」を実施すると、永久磁石４の接着に用いる樹脂αと、バランス修正に用いる樹脂αとの接着面に界面が形成される。その結果、界面剥離等が発生し、接着力が弱まってしまう。
【００３５】
これは、図７（ａ）に示すように、樹脂αを金属と直接接着させる金属接着では表面の水酸化層（酸化物、吸水物）との強固な水素結合であるのに対し、図７（ｂ）に示すように、樹脂αと樹脂αの樹脂間接着では芳香族環などの一部の電子雲との分子間力が支配的な結合で接着性が劣るためである。
これに対し、この実施例では、「永久磁石４の接着工程」と「回転バランスの修正工程」を同時に実施するため、永久磁石４の接着用の樹脂αと、バランス修正用の樹脂αとは、区別のない同じ一体構造であるため、接着用の樹脂αからバランス修正用の樹脂αが剥離する不具合は生じない。このため、ロータ１に機械的な振動が加わっても、樹脂αが剥離する不具合がなく、回転電機の信頼性を高めることができる。
【００３６】
（実施例１の補足説明２）
上記実施例とは異なり、「永久磁石４の接着工程」と「回転バランスの修正工程」を別々に実施する場合、永久磁石４の接着用の樹脂αが硬化すると、磁石穴５が塞がってしまう。その結果、回転バランスの修正に必要な樹脂αをロータコア３の内部に流し入れる経路が無くなってしまい、回転バランスの修正ができなくなってしまう。
これに対し、この実施例では、「永久磁石４の接着工程」と「回転バランスの修正工程」を同時に実施するため、磁石穴５から回転バランスの修正を行う樹脂を流し入れることができる。
【００３７】
（実施例１の補足説明３）
上記実施例とは異なり、永久磁石４を着磁した後に樹脂αを付与すると、永久磁石４の内面または外面の一方が磁石穴５に磁力でくっつく。すると、その間（磁力による結合箇所）に樹脂αが付与されなくなる。その結果、永久磁石４とロータコア３との接着面積が少なくなってしまい、接着力が弱まってしまう。
これに対し、この実施例では、上述したように、永久磁石４の内外両面を樹脂αによってロータコア３に接着できるため、永久磁石４の接着性を高めることができる。これにより、回転振動などが加わっても永久磁石４が剥離する不具合を回避することができ、回転電機の信頼性を高めることができる。
【産業上の利用可能性】
【００３８】
上記の実施例では、シャフト圧入工程を磁石固定工程よりも前に実施する例を示したが、磁石固定工程の後にシャフト圧入工程を実施してもよい。
【００３９】
上記の実施例では、「樹脂量によってロータ１の回転バランスを修正する箇所」をロータコア３の軸方向の両側において実施したが、軸方向の中央部で実施しても良い。
この場合、ロータ全体のアンバランスを意味する静的アンバランスを最小の樹脂量で修正することができる。即ち、静的アンバランスを重点的に修正したい場合、ロータコア３の両側各々の動的アンバランスを修正して静的アンバランスを抑えるよりも、静的アンバランスの角度において集中的に修正することができる。これにより、バランス修正に用いる樹脂αを歩留りを抑えることができ、回転電機のコストを抑えることができる。
さらに、ロータコア３の熱を効率的に放熱することができる。具体的には、空気との接触面積の大きいロータコア３の軸方向の両端に、樹脂αの熱伝導を用いてロータコア３の中央部に蓄熱された熱を移動させることによりロータコア３の放熱性能を高めることができる。その結果、永久磁石４の耐熱性能を下げることができるため、回転電機のコストを抑えることができる。
【００４０】
上記の実施例では、永久磁石４がＶ字形状に配置された磁気バリアの機能を有する磁石穴５を用いる例を示したが、図８に示すように永久磁石４の配置が異なるロータ１や、図９に示すように磁気バリア機能を持たない磁石穴５を用いるロータ１に本発明を適用しても良い。
なお、図８は、一文字形の磁石穴５に付与する樹脂量の具体的な違いの一例を示すものであり、図８（ａ）、（ｂ）は磁石穴５に付与する樹脂量が少ない場合の一例であり、図８（ｃ）、（ｄ）は磁石穴に付与する樹脂量が多い場合の一例であり、図８（ｅ）は磁石穴に付与する樹脂量が最大の場合である。
また、図９は、一文字形の磁石穴５に樹脂注入部γ（樹脂量の調整を実施可能な余剰スペースβとして機能する穴）を設けたものであり、図９（ａ）は磁石穴５に付与する樹脂量が少ない場合の一例であり、図９（ｂ）は磁石穴に付与する樹脂量が多い場合の一例である。
【００４１】
上記の実施例では、モータジェネレータに本発明を適用する例を示したが、通電によって回転トルクを発生する電動モータ（電動機）に本発明を適用しても良いし、ロータ１の回転によって発電を行うジェネレータ（発電機）に本発明を適用しても良い。
【００４２】
上記の実施例では、インナーロータタイプを示したが、アウターロータタイプに本発明を適用しても良い。
【００４３】
上記の実施例では、車両搭載用の回転電機に本発明を適用する例を示したが、本発明は車両以外に適用可能であり、例えば産業用機器や家庭用機器などに使用される回転電機に適用しても良い。
【符号の説明】
【００４４】
１  ロータ
３  ロータコア
４  永久磁石
５  磁石穴
α  樹脂
【図１】
2015116078.tif 000003
【図２】
2015116078.tif 000004
【図３】
2015116078.tif 000005
【図４】
2015116078.tif 000006
【図５】
2015116078.tif 000007
【図６】
2015116078.tif 000008
【図７】
2015116078.tif 000009
【図８】
2015116078.tif 000010
【図９】
2015116078.tif 000011